(57)【要約】【課題】映像信号をインタレース走査からプログレッシブ走査へ変換する走査線補間時に、静止画、動画のみならず、静止画から動画、動画から静止画への切り替わり時における画質劣化を軽減する静止画補間回路を提供する。【解決手段】生成する補間信号を、現映像信号に対して、１フィールド前の映像信号２０と１フィールド後の映像信号２１とで、フィールド相関の高さに応じて混合比を可変してフィルタ２５，２６，２７で生成する。相関選択２２にて、１フィールド前後と中間値との差分値１５，１６の小さい方のレベルを相関判定フラグ１７を用いて選択する。選択した差分値を、異なる閾値レベルＡＤＰ＿ＬＥＶＥＬ１８、ＡＶＥ＿ＬＥＶＥＬ１９とＭＩＮ検出２３，２４にて比較し、相関を判定したフラグをセレクタ２８に出力する。セレクタ２８は３種類のフラグに応じてフィルタ２５，２６，２７を切り替えて補間信号を出力する。【選択図】　　　図２
2004120635.tif 000002
【特許請求の範囲】
【請求項１】
映像信号をインタレース走査からプログレッシブ走査へ変換するための走査線補間における補間信号生成手段として、現フィールドの信号と前後フィールドの信号との相関の高さを判定するフィールド相関検出手段と、前記フィールド相関検出手段の検出結果を基に、前記相関の高さに応じて前記前後フィールドの重み付けを変えて混合するフィルタ手段とを有することを特徴とする走査線補間回路。
【請求項２】
前記フィルタ手段は、前記相関の高さに応じて重み付けを高く設定するための異なるフィルタリング機能をそれぞれ備えた複数の補間フィルタで構成する請求項１記載の走査線補間回路。
【請求項３】
映像信号をインタレース走査からプログレッシブ走査へ変換する走査線補間回路において、現フィールドの映像信号に対して、前フィールドの映像信号の情報および後フィールドの映像信号の情報を得るための記憶手段と、前記現フィールドの信号に対して前記前フィールドおよび前記後フィールドの信号のどちらのフィールドの相関が高いかを示す相関検出手段から得られる情報に基づき、前記前フィールドの信号および前記後フィールドの信号の重み付けの比率を変えて混合した補間信号を出力する映像信号補間手段を備えることを特徴とする走査線補間回路。
【請求項４】
前記相関検出手段は、１フィールド後の映像信号と第１のフィールドメモリから読み出した現在の映像信号とを１ピクセル毎に比較し、映像信号の最小値および最大値を出力する最小・最大値検出手段と、前記最小値、前記最大値および１フィールド前の映像信号とを比較して第１の中間値を出力する第１の中間値選択手段と、前記最小値、前記最大値および１フィールド後の映像信号とを比較して第２の中間値を出力する第２の中間値選択手段と、前記第１の中間値と前記１フィールド前の映像信号とを減算して第１の差分の絶対値を求める第１の差分絶対値算出手段と、前記第２の中間値と前記１フィールド後の映像信号とを減算して第２の差分の絶対値を求める第２の差分絶対値算出手段と、第１の差分の絶対値と第２の差分の絶対値とを減算してどちらの差分が小さいかを求め相関判定フラグ信号として出力する第３の差分絶対値算出手段とを有するとともに、前記第１および前記第２の差分の絶対値と前記相関判定フラグ信号とを、前記映像信号補間手段に与える前記相関の情報とする請求項１または３記載の走査線補間回路。
【請求項５】
前記映像信号補間手段は、あらかじめ定められた閾値を１レベル以上設けて比較する比較手段と、前記比較手段の判定結果を数レベルに分ける分離手段と、前記分離手段で数レベルに分けられた判定結果に応じて、前記前フィールドの信号および前記後フィールドの信号の重み付け比率を変えて混合し出力する混合手段とを備えて、前記現フィールドの信号と前記前フィールドの信号および前記後フィールドの信号との相関の高さを判定して相関信号を生成する静止画補間機能を有する請求項４記載の走査線補間回路。
【請求項６】
前記映像信号補間手段は、前記第１および前記第２の差分の絶対値を前記相関判定フラグに基づき選択する第１のセレクタと、そのセレクタで選択された前記第１または前記第２の差分の絶対値と相関が低いかどうかを判定するための閾値とを比較して最小値を判定する第１のコンパレータと、前記最小値と前記相関が低いかどうかを判定するための閾値とを比較して最小値を判定する第１のコンパレータと、前記第１または前記第２の差分の絶対値と前記相関が高いかどうかを判定するための閾値とを比較して最小値を判定する第２のコンパレータと、前記１フィールド前の映像信号および前記１フィールド後の映像信号をフィルタリングする複数の補間フィルタと、これら補間フィルタの出力を、前記第１および第２のコンパレータ出力と前記相関判定フラグとに基づき選択し前記補間信号として出力する請求項５記載の走査線補間回路。
【請求項７】
映像信号をインタレース走査からプログレッシブ走査へ変換する際の走査線補間方法において、現フィールドの映像信号に対して、前フィールドの映像信号の情報および後フィールドの映像信号の情報を得るために記憶する手段と、現フィールドの信号に対して前後フィールドの信号のどちらのフィールドの相関が高いかを示す相関検出手段から得られる情報に基づき、前後フィールドの信号の重み付けの比率を変えて混合した補間信号を出力することを特徴とする走査線補間方法。
【請求項８】
相関検出手段が、現フィールドの信号と前後フィールドの信号との相関の高さを判定する際に、あらかじめ定められた閾値を１レベル以上設けて比較し、その判定結果を数レベルに分けるとともに分けられた判定結果それぞれに応じて、前後フィールドの信号の重み付け比率を変えて混合する請求項１記載の走査線補間方法。
【発明の詳細な説明】
【０００１】
【発明の属する技術分野】
本発明は、ＰＤＰ（Ｐｌａｓｍａ　Ｄｉｓｐｌａｙ　Ｐａｎｅｌ）（以下、プラズマディスプレイパネルと称す）、液晶ディスプレイ等のマトリクス型表示装置や、順次走査ＣＲＴ等の映像信号処理におけるインタレース走査からプログレッシブ走査へ変換する走査線補間回路および走査線補間方法に関し、特に静止画補間の補間方法に特徴をもたせることにより、動画から静止画、静止画から動画への切り替わり時の補間画質を改良する走査線補間回路および走査線補間方法に関する。
【０００２】
【従来の技術】
近年、半導体素子の微細化技術の進展に伴い、その半導体素子で構成するプラズマディスプレイパネル、液晶ディスプレイパネルは、薄型、大画面、大視野角という優れた特徴により民生用機器分野、あるいはインターネットの普及でパソコン用ディスプレイ分野では順次走査ＣＲＴとともにその需要拡大が見込まれている。
【０００３】
上述したマトリクス型表示装置や、順次走査ＣＲＴ等の映像信号処理におけるインタレース走査からプログレッシブ走査へ変換する走査線補間回路は、一般的に入力される映像信号が、静止画か動画か動きの度合いを検出して、補間方式を最適になるように、可変している。
【０００４】
この要求に応えるために、例えば、従来の走査線補間回路の一例が特開平９−１３０６４５号公報に記載されている。同公報の従来技術に記載された走査線補間回路の構成を本発明の構成に対応させて示した図５と、図５における静止画補間回路を示した図６とを参照すると、従来の走査線補間は、映像信号を入力すると、動き検出回路２１により動画か静止画かを判定する。
【０００５】
動き検出回路２１の検出結果に基づきαブレンディング２３は、動画補間回路２４および静止画補間回路２２の出力の比率を変えて足しこむことにより、画質の劣化を抑えようとしたものである（特許文献１参照）。
【０００６】
【特許文献１】
特開平９−１３０６４５公報（「段落番号」０００７〜０００８、図２）
【０００７】
【発明が解決しようとする課題】
上述したように従来の走査線補間回路では、動き検出の精度が非常に重要になってくる。この従来の回路は、後述する本発明の一実施の形態を示した図２との比較から明らかなように、静止画補間において、相関検出による適応補間処理という構成を有していない。
【０００８】
このため、入力の映像信号が、動画から、静止画、静止画から動画への切り替え時において、図５に示す従来の静止画補間では、前フィールドおよび後フィールドのデータを加算して２で割るのみであるから、前フィールドおよび後フィールド相互間には相関のない信号で補間される可能性があるため、画質劣化を生じる場合があるという欠点がある。
【０００９】
さらには、従来の走査線回路には、フィールドメモリを削減して、現フィールドに対して前フィールドのみのメモリを有し、図５のようにフィルタリングは行わず、補間データとして現フィールド信号に前フィールド信号をはめ込むのみの回路もある。
【００１０】
この場合も、図６と同様に、入力の映像信号が動画から、静止画、静止画から動画への切り替え時には、相関のない信号で補間される可能性があるため画質劣化を生じる場合があるという問題がある。
【００１１】
本発明の主な目的は、動画時の走査線補間、静止画時の走査線補間のみならず、動画から静止画、静止画から動画への切り替わり時においても、画質を劣化を抑えることのできる走査線補間回路および走査線補間方法を提供することにある。
【００１２】
【課題を解決するための手段】
本発明の走査線補間回路は、映像信号をインタレース走査からプログレッシブ走査へ変換するための走査線補間における補間信号生成手段として、現フィールドの信号と前後フィールドの信号との相関の高さを判定するフィールド相関検出手段と、前記フィールド相関検出手段の検出結果を基に、前記相関の高さに応じて前記前後フィールドの重み付けを変えて混合するフィルタ手段とを有することを特徴とする。
【００１３】
また、前記フィルタ手段は、前記相関の高さに応じて重み付けを高く設定するための異なるフィルタリング機能をそれぞれ備えた複数の補間フィルタで構成することができる。
【００１４】
本発明の走査線補間回路の他の特徴は、映像信号をインタレース走査からプログレッシブ走査へ変換する走査線補間回路において、現フィールドの映像信号に対して、前フィールドの映像信号の情報および後フィールドの映像信号の情報を得るための記憶手段と、前記現フィールドの信号に対して前記前フィールドおよび前記後フィールドの信号のどちらのフィールドの相関が高いかを示す相関検出手段から得られる情報に基づき、前記前フィールドの信号および前記後フィールドの信号の重み付けの比率を変えて混合した補間信号を出力する映像信号補間手段を備えることにある。
【００１５】
また、前記相関検出手段は、１フィールド後の映像信号と第１のフィールドメモリから読み出した現在の映像信号とを１ピクセル毎に比較し、映像信号の最小値および最大値を出力する最小・最大値検出手段と、前記最小値、前記最大値および１フィールド前の映像信号とを比較して第１の中間値を出力する第１の中間値選択手段と、前記最小値、前記最大値および１フィールド後の映像信号とを比較して第２の中間値を出力する第２の中間値選択手段と、前記第１の中間値と前記１フィールド前の映像信号とを減算して第１の差分の絶対値を求める第１の差分絶対値算出手段と、前記第２の中間値と前記１フィールド後の映像信号とを減算して第２の差分の絶対値を求める第２の差分絶対値算出手段と、第１の差分の絶対値と第２の差分の絶対値とを減算してどちらの差分が小さいかを求め相関判定フラグ信号として出力する第３の差分絶対値算出手段とを有するとともに、前記第１および前記第２の差分の絶対値と前記相関判定フラグ信号とを、前記映像信号補間手段に与える前記相関の情報とすることができる。
【００１６】
さらに、前記映像信号補間手段は、あらかじめ定められた閾値を１レベル以上設けて比較する比較手段と、前記比較手段の判定結果を数レベルに分ける分離手段と、前記分離手段で数レベルに分けられた判定結果に応じて、前記前フィールドの信号および前記後フィールドの信号の重み付け比率を変えて混合し出力する混合手段とを備えて、前記現フィールドの信号と前記前フィールドの信号および前記後フィールドの信号との相関の高さを判定して相関信号を生成する静止画補間機能を有してもよい。
【００１７】
さらにまた、前記映像信号補間手段は、前記第１および前記第２の差分の絶対値を前記相関判定フラグに基づき選択する第１のセレクタと、そのセレクタで選択された前記第１または前記第２の差分の絶対値と相関が低いかどうかを判定するための閾値とを比較して最小値を判定する第１のコンパレータと、前記最小値と前記相関が低いかどうかを判定するための閾値とを比較して最小値を判定する第１のコンパレータと、前記第１または前記第２の差分の絶対値と前記相関が高いかどうかを判定するための閾値とを比較して最小値を判定する第２のコンパレータと、前記１フィールド前の映像信号および前記１フィールド後の映像信号をフィルタリングする複数の補間フィルタと、これら補間フィルタの出力を、前記第１および第２のコンパレータ出力と前記相関判定フラグとに基づき選択し前記補間信号として出力することでもよい。
【００１８】
本発明の走査線補間方法は、映像信号をインタレース走査からプログレッシブ走査へ変換する際の走査線補間方法において、現フィールドの映像信号に対して、前フィールドの映像信号の情報および後フィールドの映像信号の情報を得るために記憶する手段と、現フィールドの信号に対して前後フィールドの信号のどちらのフィールドの相関が高いかを示す相関検出手段から得られる情報に基づき、前後フィールドの信号の重み付けの比率を変えて混合した補間信号を出力することを特徴とする。
【００１９】
また、前記相関検出手段が、現フィールドの信号と前後フィールドの信号との相関の高さを判定する際に、あらかじめ定められた閾値を１レベル以上設けて比較し、その判定結果を数レベルに分けるとともに分けられた判定結果それぞれに応じて、前後フィールドの信号の重み付け比率を変えて混合することができる。
【００２０】
【発明の実施の形態】
まず、本発明の概要を述べると、本発明による走査線補間は、補間信号生成の部分において、フィールド相関検出手段を設けて、その検出結果をもとに、相関の高さに応じて、前後フィールドの重み付けを可変して混合するフィルタ回路を設けたものである。
【００２１】
すなわち、本発明に係る走査線補間は、映像入力信号が動画から静止画へ切り替わリ時、静止画時、静止画から動画への切り替わり時において、静止画補間でありながらフィルタリングを最適になるように可変しているために、静止画時は、前後フィールドの信号を平均してフィルタリングすることにより、ノイズを軽減したクリアな画像となり、静止画から動画への切り替わり時および、動画から静止画への切り替わり時には、現フィールドの信号と、前後フィールドの信号を比較し、現フィールドの信号が、静止画に近い信号であるか動画に近い信号であるかを判定して、相関の高いフィールドに重み付けを強くし、相関の低いフィールドに重み付けを弱くするように動作するフィルタを選択するようになっている。
【００２２】
従って、動き検出の精度が悪く、静止画、動画の判定が誤判定ぎみであっても、選択された静止画補間回路にて対策が施されているため、画質劣化を抑えることができるという効果が得られる。
【００２３】
次に、本発明の実施の形態を図面を参照しながら詳細に説明する。
【００２４】
図１は、従来回路を含む本発明の実施の形態による走査線補間回路の構成を示すブロック図であり、図２は、図１における一実施の形態である相関検出回路４の構成図であり、図３は、本発明の一実施の形態としての静止画補間回路５の構成図である。
【００２５】
図１を参照すると、フィールメモリ１は１フィールド後の映像信号を一時記憶する。ラインメモリ２はフィールドメモリ１から読み出した現在の映像信号を１ライン分一時記憶する。フィールメモリ３はフィールドメモリ１から読み出した現在の映像信号を１フィールド分一時記憶する。つまり、フィールドメモリ１で保持したフィールドの信号を現在の映像信号とすると、フィールドメモリ１への入力が１フィールド後の映像信号となる。
【００２６】
相関検出回路４は、本発明の実施の形態であり、１フィールド後の映像信号とフィールドメモリ１から読み出した現在の映像信号とラインメモリ２から読み出した１ライン前の映像信号とフィールドメモリ３から読み出した１フィールド前の映像信号とを入力し、相関判定フラグと中間値および１フィールド前の映像信号の差分の絶対値と中間値および１フィールド後の映像信号の差分の絶対値とを生成し出力する。
【００２７】
静止画補間回路５は、１フィールド後の映像信号とフィールドメモリ３から読み出した１フィールド前の映像信号と相関検出回路４から出力される相関判定フラグ４０１と中間値および１フィールド前の映像信号の差分の絶対値４０２と中間値および１フィールド後の映像信号の差分の絶対値４０３と、その他にこの図では図示しないが後述するレジスタ設定値ＡＤＰ＿ＬＥＶＥＬおよびＡＶＥ＿ＬＥＶＥＬとをそれぞれ入力し、静止画補間信号５０１を出力する。
【００２８】
動き検出回路６は、１フィールド後の映像信号とフィールドメモリ３からからの１フィールド前の映像信号とを入力し動き検出信号を出力する。
【００２９】
動画補間回路７は、フィールドメモリ１から読み出した現在の映像信号とラインメモリ２から読み出した１ライン前の映像信号とを入力し、動画補間信号７０１を出力する。
【００３０】
つまり、同一フィールド内の現在の映像信号と１ライン前の映像信号でフィルタリングした動画補間信号である。
【００３１】
αブレンディング８は、動き検出回路６の出力により、静止画補間信号５０１と動画補間信号７０１との重み付けを変えて補間信号として出力する。
【００３２】
図２を参照すると、ＭＩＮ／ＭＡＸ検出回路９は、１ライン前の映像信号と現在の映像信号とを入力し、最小値ＭＩＮおよび最大値ＭＡＸを出力する。
【００３３】
中間値選択回路１０は、ＭＩＮ／ＭＡＸ検出回路９から出力された最小値ＭＩＮおよび最大値ＭＡＸと１フィールド前の映像信号と入力し、中間値１０１を出力する。
【００３４】
中間値選択回路１１は、ＭＩＮ／ＭＡＸ検出回路９から出力された最小値ＭＩＮおよび最大値ＭＡＸと１フィールド後の映像信号と入力し、中間値１１１を出力する。
【００３５】
差分の絶対値回路１２は、中間値１０１と１フィールド前の映像信号とを入力し、中間値と１フィールド前の映像信号の差分の絶対値１５を出力する。
【００３６】
差分の絶対値回路１３は、中間値１１１と１フィールド後の映像信号とを入力し、中間値と１フィールド後の映像信号の差分の絶対値１６を出力する。
【００３７】
差分の絶対値回路１４は、中間値と１フィールド前の映像信号との差分の絶対値１５および中間値と１フィールド後の映像信号との差分の絶対値１６をそれぞれ入力し、相関判定フラグを出力する。
【００３８】
図３を参照すると、信号１５は、図２の実施の形態における相関検出回路４から出力される中間値と１フィールド前の映像信号との差分の絶対値である。信号１６は、相関検出回路４から出力される中間値と１フィールド後の映像信号の差分の絶対値である。これら２つの入力信号をセレクタ２２に入力する。
【００３９】
相関検出回路４から出力される相関判定フラグ１７は、セレクタ２２および後述するセレクタ２８の選択信号である。
【００４０】
ＭＩＮコンパレータ２３は、相関が高いかどうかを判定するための閾値となるレジスタ設定値ＡＤＰ＿ＬＥＶＥＬ１８とセレクタ２２の選択出力２２１と、どちらが小さいか最小値を判定するとともに、判定結果を２値のフラグ２３１として出力する。
【００４１】
ＭＩＮコンパレータ２４は、相関が低いかどうかを判定するための閾値となるレジスタ設定値ＡＶＥ＿ＬＥＶＥＬ１９とセレクタ２の出力２２１とから最小値を判定するとともに、判定結果を２値のフラグ２４１として出力する。
【００４２】
補間フィルタ２５は、１フィールド前の映像信号２０をＫ倍した信号と１フィールド後の映像信号２１を（１−Ｋ）倍した信号とを加算して出力する。
【００４３】
補間フィルタ２６は、１フィールド前の映像信号２０と１フィールド後の映像信号２１とを加算した後その平均値を出力する。
【００４４】
補間フィルタ２７は、１フィールド前の映像信号２０を（１−Ｋ）倍した信号と１フィールド後の映像信号２１をＫ倍した信号とを加算して出力する。
【００４５】
セレクタ２８は、補間フィルタ２５，２６，２７にて生成された補間フィルタ出力を、ＭＩＮコンパレータ２３，２４の出力するフラグ２３１，２４１の値および相関判定フラグ１７の値により選択して出力する。この選択した出力が、本発明の実施の形態における静止画補間信号２９である。
【００４６】
次に、上述した構成を有する本発明の実施の形態の動作を説明する。
【００４７】
図１を参照すると、フィールドメモリ１の出力である現在の映像信号を基準としてその入力の１フィールド後の映像信号、フィールドメモリ３の１フィールド前の映像信号と、ラインメモリ２の１ライン前の映像信号を、相関検出回路４に入力する。
【００４８】
一方、１フィールド前および１フィールド後の映像信号を動き検出回路６に入力して、動きの量をレベルで出力する。
【００４９】
図２を参照すると、ＭＩＮ／ＭＡＸ（最小・最大）検出回路９にて現在の映像信号と１ライン前の映像信号とを上下の１ピクセルごとに比較し、最小値、最大値を出力する。この最小値、最大値と１フィールド前の映像信号とを中間値選択１０にて比較し、中間値１０１を出力する。
【００５０】
一方、最小値、最大値と１フィールド後の映像信号とを中間値選択１１にて比較し、同様に中間値１１１を出力する。
【００５１】
上述した中間値選択１０，１１にてそれぞれ出力した中間値１０１，１１１を本発明の静止画補間の補間信号の基準としている。
【００５２】
この中間値選択１０にて出力された中間値１０１と１フィールド前の映像信号とを、差分の絶対値回路１２にて減算して、差分の大きさをもとめる。
【００５３】
同様に、中間値選択回路１１にて出力された中間値１１１と１フィールド後の映像信号とを、差分の絶対値回路１３にて減算して、差分の大きさをもとめる。
【００５４】
これらの差分の大きさ（値）が、小さいほうが、よりそのフィールドに相関が高いと判断する。
【００５５】
どちらの差分の値が小さいかは、差分の絶対値回路１２の出力と、差分の絶対値回路１３の出力との差分の大きさを、差分の絶対値回路１４にてもとめることにより判定できる。
【００５６】
この、差分の絶対値回路１４の出力は、値でなく、どちらが大きいかの２値フラグを出力し、これを相関判定フラグとする。
【００５７】
この差分の絶対値回路１２，１３のレベル出力と、差分の絶対値回路１４の相関判定フラグ出力を図１に示した静止画補間回路５（図３に示した静止画補間回路の詳細回路）の入力とする。この３入力信号が得られれば、図２の相関検出回路は他の方式でもかまわない。
【００５８】
図３を参照すると、相関選択回路２２にて、１フィールド前および１フィールド後と中間値との差分の絶対値が小さいレベルを相関判定フラグ１７を用いて選択する。
【００５９】
選択した差分の絶対値信号２２１は、２種類のレジスタ設定値（固定レベル）ＡＤＰ＿ＬＥＶＥＬ１８およびＡＶＥ＿ＬＥＶＥＬ１９とそれぞれＭＩＮ検出回路（コンパレータ）２３，２４にて比較する。すなわち、選択した差分の絶対値信号とレジスタ設定値（固定レベル）ＡＤＰ＿ＬＥＶＥＬ１８とをＭＩＮ検出回路２３で比較する。また、選択した差分の絶対値信号２２１とレジスタ設定値（固定レベル）ＡＶＥ＿ＬＥＶＥＬ１９とをＭＩＮ検出回路（コンパレータ）２４で比較する。
【００６０】
ここで、相関の高さを判定するための固定レベルＡＤＰ＿ＬＥＶＥＬ１８およびＡＶＥ＿ＬＥＶＥＬ１９の設定例を示した図４を参照すると、相関選択回路８から得られた差分の最小値と固定レベルＡＤＰ＿ＬＥＶＥＬ４およびＡＶＥ＿ＬＥＶＥＬ５とを比較し、差分の最小値がＡＤＰ＿ＬＥＶＥＬ４より小さい場合は、差分が非常に少ないので、差分の最小値と等しい値の差分の値を出力した側のフィールドに相関が非常に高いと判定する。このとき用いるフィルタは、
１フィールド前の信号に相関が高いときは、
補間信号＝（１フィールド前の映像信号）×１．０倍＋（１フィールド後の映像信号）×０．０倍
１フィールド後の信号に相関が高いときは、
補間信号＝（１フィールド前の映像信号）×０．０倍＋（１フィールド後の映像信号）×１．０倍
としてセレクタ２８により選択されて、本発明の補間信号２９として出力する。
【００６１】
差分の最小値が固定レベルＡＤＰ＿ＬＥＶＥＬ１８とＡＶＥ＿ＬＥＶＥＬ１９との間にある場合は、補間フィルタ２５、２７により生成されるフィルタ出力が、セレクタ２８により次のように選択される。
【００６２】
１フィールド前の信号に相関が高いときは、次の式で構成される補間フィルタ１１が選択され、
補間信号＝（１フィールド前のＫ倍）＋（１フィールド後の（１−Ｋ）倍）
（１＞Ｋ＞０．５＞（１−Ｋ）＞０）
１フィールド後の信号に相関が高いときは、次の式で構成される補間フィルタ１３が選択され、
補間信号＝（１フィールド前の（１−Ｋ）倍）＋（１フィールド後のＫ倍）
（１＞Ｋ＞０．５＞（１−Ｋ）＞０）
本発明の補間信号２９として出力する。
【００６３】
相関の高さに応じて重み付けを高く設定する係数Ｋの設定は固定値としてもよいし、可変値でもよい。
【００６４】
例えば、１＞Ｋ＞０．５よりＫ＝０．７５と固定値を設定すると、相関が低い方の係数は、１−Ｋ＝０．２５とする。
【００６５】
Ｋを可変値とする場合は、差分の絶対値が、固定レベルＡＤＰ＿ＬＥＶＥＬ１８の設定値とＡＶＥ＿ＬＥＶＥＬ１９の設定値との間に入るレベル内で、差分の絶対値の大きさに反比例する値を１＞Ｋ＞０．５の範囲内で設定する。
【００６６】
差分の最小値が固定レベルＡＶＥ＿ＬＥＶＥＬ１９より大きい場合は、どちらのフィールドにも相関性は低いと判定することができるので、補間フィルタ２５により生成される両フィールドの平均値フィルタが
補間信号＝（１フィールド前の０．５倍）＋（１フィールド後の０．５倍）
となり、セレクタ２８により選択されて本発明の補間信号２９として出力する。
【００６７】
ここで、本発明における走査線補間回路と従来の走査線補間回路とにおいて動画から静止画、静止画から動画の映像信号を入力したときの補間方法の違いを示した図５を参照すると、動き検出信号はｆｉｅｌｄ単位で時間が右に進んでいく状態を示したものである。
【００６８】
ここでは、動き検出信号の説明を容易にするために２値で表現している。現信号３１、補間信号３２とし、補間する方向３３とする。
【００６９】
動き検出信号が、動画から静止画へ切り替わる（論理レベルのロウレベルからハイレベルに切り替わる）部分と、静止画から動画へ切り替わる（ハイレベルからロウレベルに切り替わる）部分での補間信号の生成方法が、図５（ａ）に示す本発明の補間と図５（ｂ）に示す従来方式の補間とでは異なる。
【００７０】
すなわち、図５（ｂ）の従来方式の補間では、静止画補間に相関検出によるｆｉｅｌｄの重みづけが行われていないので、常に一定の方向からのｆｉｅｌｄを用いて補間している。そのため、補間信号３６、３７のように、静止画にもかかわらず、動画時のｆｉｅｌｄの現信号を用いて補間信号を生成してしまう恐れがあることを示している。
【００７１】
これに対して、図５（ａ）本方式の補間では、ｆｉｅｌｄ相関の高さに応じて、補間に用いるｆｉｅｌｄの重み付けを変えており、図５の例では動き検出信号が２値のため、重み付けは相関の高い方の比率が１であり、低い方の比率が０となり、ｆｉｅｌｄの補間信号３４，３５は、常に相関の高い方の静止画側の信号によって補間され、動画時の信号は選択しないようになっている。
【００７２】
なお、本発明は、上述した実施の形態に示した例に限定されず、本発明の技術思想の範囲内において、実施の形態は適宜変更され得ることは明らかである。
【００７３】
【発明の効果】
以上説明したように、本発明によれば、映像信号をインタレース走査からプログレッシブ走査へ変換する走査線補間の際に、現フィールドの映像信号に対して、前後フィールドの映像信号の情報を保持するフィールドメモリを有するとともに、現ラインの映像信号に対して、前ラインの映像信号の情報を保持するラインメモリをも有する。また、現フィールドと前後フィールドの相関を検出する相関検出回路を有し、相関の高さに応じて、前後フィールドの重み付けを可変して、前後フィールドの映像信号から補間信号を作成する。これらの基本構成に基づき、静止画補間を行うことにより、従来回路と組み合わせて静止画、動画のみならず、静止画から動画、動画から静止画への切り替わり時においても、画質劣化を軽減することができる。
【図面の簡単な説明】
【図１】本発明の実施の形態による走査線補間回路の構成を示すブロック図である。
【図２】図１における一実施の形態である相関検出回路４の構成図である。
【図３】本発明の一実施の形態としての静止画補間回路５の構成図である。
【図４】相関の高さを判定するための固定レベルＡＤＰ＿ＬＥＶＥＬ１８およびＡＶＥ＿ＬＥＶＥＬ１９の設定例を示した図である。
【図５】本発明における走査線補間回路と従来の走査線補間回路とにおいて動画から静止画、静止画から動画の映像信号を入力したときの補間方法の違いを示した図である。
【図６】従来の静止画補間回路の構成を示すブロック図である。
【図７】従来の走査線補間回路の構成を示すブロック図である。
【符号の説明】
１，３　　フィールドメモリ
２　　ラインメモリ
４　　相関検出回路
５　　静止画補間回路
６　　動き検出回路
７　　動画補間回路
８　　αブレンディング
９　　ＭＩＮ／ＭＡＸ検出回路
１０，１１　　中間値選択
１２，１３，１４　　差分の絶対値回路
１５　　相関検出回路４から出力される中間値と１フィールド前の映像信号との差分の絶対値
１６　　中間値と１フィールド後の映像信号の差分の絶対値
１７　　相関判定フラグ
１８　　相関が低いかどうかを判定するための閾値となるレジスタ設定値ＡＶＥ＿ＬＥＶＥＬ
１９　　相関が高いかどうかを判定するための閾値となるレジスタ設定値ＡＤＰ＿ＬＥＶＥＬ
２０　　１フィールド前の映像信号
２１　　１フィールド後の映像信号
２２，２８　　セレクタ
２３　　ＭＩＮコンパレータ
２５，２６，２７　　補間フィルタ
２９　　補間信号
【図１】
2004120635.tif 000003
【図２】
2004120635.tif 000004
【図３】
2004120635.tif 000005
【図４】
2004120635.tif 000006
【図５】
2004120635.tif 000007
【図６】
2004120635.tif 000008
【図７】
2004120635.tif 000009